(57)【要約】【課題】共通の電極を使用して電界による通信を行うときに生じる不都合を解消する。【解決手段】トランシーバ４に接続された受信電極４１２は、送信電極４１１に対し、離間させて設けられる。これにより、送信部４０１から電極を介して受信部４０２に不要な信号が到来せず、よって、本来受信すべき信号の波形が歪むのを防止することができる。また、到来する信号を除去する回路を不要にできる。【選択図】図１
2009290760.tif 000002
【特許請求の範囲】
【請求項１】
電界伝達媒体に電界を誘起させて信号を送受信するトランシーバにおいて、
電界伝達媒体を介して他のトランシーバに送信すべき信号を生成する送信回路と、
他のトランシーバから電界伝達媒体を介して送信された信号を受信する受信回路と、
前記送信回路の出力端子に接続された送信電極と、
前記送信電極に離間させて配置され、前記受信回路の入力端子に接続された受信電極と
を備えることを特徴とするトランシーバ。
【請求項２】
電界伝達媒体に電界を誘起させて信号を送受信するトランシーバにおいて、
電界伝達媒体を介して他のトランシーバに送信すべき信号を回路グラウンドを基準にして生成する送信回路と、
他のトランシーバから電界伝達媒体を介して送信された信号を受信する受信回路と、
前記送信回路の出力端子に接続された送信電極と、
前記送信電極に離間させて配置され、前記受信回路の入力端子に接続された受信電極と、
前記送信電極に絶縁体を介して沿わされ、前記回路グラウンドに接続されたグラウンド電極と
を備えることを特徴とするトランシーバ。
【請求項３】
電界伝達媒体に電界を誘起させて信号を送受信するトランシーバにおいて、
電界伝達媒体を介して他のトランシーバに送信すべき信号を生成する送信回路と、
他のトランシーバから電界伝達媒体を介して送信された信号を回路グラウンドを基準にして受信する受信回路と、
前記送信回路の出力端子に接続された送信電極と、
前記送信電極に離間させて配置され、前記受信回路の入力端子に接続された受信電極と、
前記受信電極に絶縁体を介して沿わされ、前記回路グラウンドに接続されたグラウンド電極と
を備えることを特徴とするトランシーバ。
【請求項４】
電界伝達媒体に電界を誘起させて信号を送受信するトランシーバにおいて、
電界伝達媒体を介して他のトランシーバに送信すべき信号を回路グラウンドを基準にして生成する送信回路と、
他のトランシーバから電界伝達媒体を介して送信された信号を前記回路グラウンドを基準にして受信する受信回路と、
前記送信回路の出力端子に接続された送信電極と、
前記送信電極に離間させて配置され、前記受信回路の入力端子に接続された受信電極と、
前記送信電極に絶縁体を介して沿わされ、前記回路グラウンドに接続されたグラウンド電極と、
前記受信電極に絶縁体を介して沿わされ、前記回路グラウンドに接続されたグラウンド電極と
を備えることを特徴とするトランシーバ。
【請求項５】
前記受信回路は、
他のトランシーバから電界伝達媒体を介して送信された信号を前記回路グラウンドから絶縁された第２の回路グラウンドを基準にして光により検出する光センサ
を備えることを特徴とする請求項１または２記載のトランシーバ。
【請求項６】
前記受信電極に絶縁体を介して沿わされ、前記第２の回路グラウンドに接続されたグラウンド電極
を備えることを特徴とする請求項５記載のトランシーバ。
【請求項７】
前記送信電極と前記受信電極は櫛型であり、櫛同士を咬み合わせるように配置されている
ことを特徴とする請求項１ないし６のいずれかに記載のトランシーバ。
【請求項８】
前記送信電極と前記受信電極は螺旋型であり、２重の螺旋を形成するように配置されている
ことを特徴とする請求項１ないし６のいずれかに記載のトランシーバ。
【請求項９】
前記送信電極と前記受信電極は格子型であり、格子が交差するように配置されている
ことを特徴とする請求項１ないし６のいずれかに記載のトランシーバ。
【請求項１０】
前記グラウンド電極の形状は前記送信電極の形状に等しく、当該グラウンド電極は当該送信電極の形状のとおりに沿わされている
ことを特徴とする請求項２ないし９のいずれかに記載のトランシーバ。
【請求項１１】
前記グラウンド電極の形状は前記受信電極の形状に等しく、当該グラウンド電極は当該受信電極の形状のとおりに沿わされている
ことを特徴とする請求項２ないし１０のいずれかに記載のトランシーバ。
【発明の詳細な説明】
【技術分野】
【０００１】
本発明は、電界伝達媒体に電界を誘起させて信号を送受信するトランシーバに関するものである。
【背景技術】
【０００２】
近年にあっては、通信ケーブルに代えて、人に使用される物などに電界を誘起させることにより通信を行える。
【０００３】
図９は、共通の電極を使用して電界を誘起させる通信の例を示す図である。
【０００４】
例えば、テーブル１の部分１ａにコンピュータＣが置かれ、コンピュータＣ内のトランシーバＴＲ１が、コンピュータＣの裏側に配置された電極Ｐ１に信号を印加する。これにより、テーブル１の部分１ａに電界が誘起され、テーブル１の部分１ａの底面に配置された電極Ｐ２に信号が印加される。トランシーバＴＲ２は、電極Ｐ２を介して信号を受信する。
【０００５】
また、トランシーバＴＲ２は、電極Ｐ２に信号を印加する。これにより、テーブル１の部分１ａに電界が誘起され、電極Ｐ１に信号が印加される。トランシーバＴＲ１は、電極Ｐ１を介して信号を受信する。
【０００６】
図１０は、トランシーバＴＲ１の一構成例を示すブロック図である。
【０００７】
トランシーバＴＲ１では、電極Ｐ１に信号を印加する際、コンピュータＣから送信された情報をインタフェース回路４０４がデジタル回路４０３に転送し、デジタル回路４０３は、情報を情報に応じたデジタル信号に変換し、送信部４０１に与える。送信部４０１は、情報に応じたデジタル信号を増幅し、増幅された信号を電極Ｐ１に印加する。
【０００８】
トランシーバＴＲ１では、電極Ｐ１により信号を受信する際、受信部４０２が、電極Ｐ１を介して到来した信号を増幅する。デジタル回路４０３は、情報を適宜処理し、インタフェース回路４０４に与え、インタフェース回路４０４は情報をコンピュータＣに送信する。
【０００９】
なお、トランシーバＴＲ２は、トランシーバＴＲ１と同様の構成であり、同様に動作する。
【非特許文献１】"RedTacton"、［ｏｎｌｉｎｅ］、日本電信電話株式会社、［平成２０年２月１日検索］、インターネット＜ＵＲＬ：http://www.redtacton.com/＞
【発明の開示】
【発明が解決しようとする課題】
【００１０】
上記のように、トランシーバＴＲ１は、信号の送受信に共通の電極Ｐ１を使用しており、トランシーバＴＲ２も同様の電極Ｐ２を使用しており、もって、構成が簡素化される。  しかし、共通の電極Ｐ１などを使用すると、送信部４０１から電極Ｐ１などを介して受信部４０２に不要な信号が到来し、この信号により、本来受信すべき信号の波形が歪んでしまう。そのため、到来する信号を除去する回路がデジタル回路４０３内に必要となってしまう。
【００１１】
本発明は、上記の課題に鑑みてなされたものであり、その目的とするところは、共通の電極を使用して電界による通信を行うときに生じる不都合を解消できるトランシーバを提供することにある。
【課題を解決するための手段】
【００１２】
上記の課題を解決するために、請求項１の本発明は、電界伝達媒体に電界を誘起させて信号を送受信するトランシーバにおいて、電界伝達媒体を介して他のトランシーバに送信すべき信号を生成する送信回路と、他のトランシーバから電界伝達媒体を介して送信された信号を受信する受信回路と、前記送信回路の出力端子に接続された送信電極と、前記送信電極に離間させて配置され、前記受信回路の入力端子に接続された受信電極とを備えることを特徴とするトランシーバをもって解決手段とする。
【００１３】
請求項１の本発明によれば、受信電極を送信電極に離間させて設けたことで、送信回路から電極を介して受信回路に不要な信号が到来せず、よって、本来受信すべき信号の波形が歪むのを防止することができる。また、到来する信号を除去する回路を不要にできる。  請求項２の本発明は、電界伝達媒体に電界を誘起させて信号を送受信するトランシーバにおいて、電界伝達媒体を介して他のトランシーバに送信すべき信号を回路グラウンドを基準にして生成する送信回路と、他のトランシーバから電界伝達媒体を介して送信された信号を受信する受信回路と、前記送信回路の出力端子に接続された送信電極と、前記送信電極に離間させて配置され、前記受信回路の入力端子に接続された受信電極と、前記送信電極に絶縁体を介して沿わされ、前記回路グラウンドに接続されたグラウンド電極とを備えることを特徴とするトランシーバをもって解決手段とする。
【００１４】
請求項２の本発明によれば、送信電極に絶縁体を介してグラウンド電極を沿わせたことで、電界が誘起される部分以外に及ぶ電界や放射電磁界が弱くなり、よって、信号盗聴や混信の虞を低減することができる。
【００１５】
請求項３の本発明は、電界伝達媒体に電界を誘起させて信号を送受信するトランシーバにおいて、電界伝達媒体を介して他のトランシーバに送信すべき信号を生成する送信回路と、他のトランシーバから電界伝達媒体を介して送信された信号を回路グラウンドを基準にして受信する受信回路と、前記送信回路の出力端子に接続された送信電極と、前記送信電極に離間させて配置され、前記受信回路の入力端子に接続された受信電極と、前記受信電極に絶縁体を介して沿わされ、前記回路グラウンドに接続されたグラウンド電極とを備えることを特徴とするトランシーバをもって解決手段とする。
【００１６】
請求項３の本発明によれば、受信電極に絶縁体を介してグラウンド電極を沿わせたことで、受信電極により受信される他のトランシーバからの電界のノイズが小さくなるので、信号の受信感度を高めることができ、トランシーバは、信号を直接送信してくるトランシーバでないトランシーバの近くにあっても、信号を直接送信してくるトランシーバからの信号を確実に受信することができる。
【００１７】
請求項４の本発明は、電界伝達媒体に電界を誘起させて信号を送受信するトランシーバにおいて、電界伝達媒体を介して他のトランシーバに送信すべき信号を回路グラウンドを基準にして生成する送信回路と、他のトランシーバから電界伝達媒体を介して送信された信号を前記回路グラウンドを基準にして受信する受信回路と、前記送信回路の出力端子に接続された送信電極と、前記送信電極に離間させて配置され、前記受信回路の入力端子に接続された受信電極と、前記送信電極に絶縁体を介して沿わされ、前記回路グラウンドに接続されたグラウンド電極と、前記受信電極に絶縁体を介して沿わされ、前記回路グラウンドに接続されたグラウンド電極とを備えることを特徴とするトランシーバをもって解決手段とする。
【００１８】
請求項４の本発明によれば、送信電極に絶縁体を介してグラウンド電極を沿わせたことで、電界が誘起される部分以外に及ぶ電界や放射電磁界が弱くなり、よって、信号盗聴や混信の虞を低減することができる。また、受信電極に絶縁体を介してグラウンド電極を沿わせたことで、受信電極により受信される他のトランシーバからの電界のノイズが小さくなるので、信号の受信感度を高めることができ、トランシーバは、信号を直接送信してくるトランシーバでないトランシーバの近くにあっても、信号を直接送信してくるトランシーバからの信号を確実に受信することができる。
【００１９】
請求項５の本発明は、前記受信回路は、他のトランシーバから電界伝達媒体を介して送信された信号を前記回路グラウンドから絶縁された第２の回路グラウンドを基準にして光により検出する光センサを備えることを特徴とする請求項１または２記載のトランシーバをもって解決手段とする。
【００２０】
請求項５の本発明にあっては、光センサにより信号を受信するようにしている。
【００２１】
請求項６の本発明は、前記受信電極に絶縁体を介して沿わされ、前記第２の回路グラウンドに接続されたグラウンド電極を備えることを特徴とする請求項５記載のトランシーバをもって解決手段とする。
【００２２】
請求項６の本発明によれば、光センサによる信号の受信感度を高めることができ、トランシーバは、信号を直接送信してくるトランシーバでないトランシーバの近くにあっても、信号を直接送信してくるトランシーバでないトランシーバからの信号を確実に受信することができる。
【００２３】
請求項７の本発明は、前記送信電極と前記受信電極は櫛型であり、櫛同士を咬み合わせるように配置されていることを特徴とする請求項１ないし６のいずれかに記載のトランシーバをもって解決手段とする。
【００２４】
請求項７の本発明によれば、送信電極と受信電極を櫛型とし、櫛同士を咬み合わせるように配置したことで、送信電極と受信電極の位置をほぼ同じにでき、送信電極と受信電極を同じ場所に置くような場合において都合がよい。
【００２５】
請求項８の本発明は、前記送信電極と前記受信電極は螺旋型であり、２重の螺旋を形成するように配置されていることを特徴とする請求項１ないし６のいずれかに記載のトランシーバをもって解決手段とする。
【００２６】
請求項８の本発明によれば、送信電極と受信電極を螺旋型とし、２重の螺旋を形成するように配置したことで、送信電極と受信電極の位置をほぼ同じにでき、送信電極と受信電極を同じ場所に置くような場合において都合がよい。
【００２７】
請求項９の本発明は、前記送信電極と前記受信電極は格子型であり、格子が交差するように配置されていることを特徴とする請求項１ないし６のいずれかに記載のトランシーバをもって解決手段とする。
【００２８】
請求項９の本発明によれば、送信電極と受信電極を格子型とし、格子が交差するように配置したことで、送信電極と受信電極の位置をほぼ同じにでき、送信電極と受信電極を同じ場所に置くような場合において都合がよい。
【００２９】
請求項１０の本発明は、前記グラウンド電極の形状は前記送信電極の形状に等しく、当該グラウンド電極は当該送信電極の形状のとおりに沿わされていることを特徴とする請求項２ないし９のいずれかに記載のトランシーバをもって解決手段とする。
【００３０】
請求項１０の本発明によれば、グラウンド電極の形状は送信電極の形状に等しく、グラウンド電極は送信電極の形状のとおりに沿わされていることで、電界が誘起される部分以外に及ぶ電界や放射電磁界が一層弱くなり、よって、信号盗聴や混信の虞を一層低減することができる。
【００３１】
請求項１１の本発明は、前記グラウンド電極の形状は前記受信電極の形状に等しく、当該グラウンド電極は当該受信電極の形状のとおりに沿わされていることを特徴とする請求項２ないし１０のいずれかに記載のトランシーバをもって解決手段とする。
【００３２】
請求項１１の本発明によれば、グラウンド電極の形状は受信電極の形状に等しく、グラウンド電極は受信電極の形状のとおりに沿わされていることで、受信電極により受信される他のトランシーバからの電界のノイズはより小さくなるので、信号の受信感度をより高めることができ、トランシーバは、信号を直接送信してくるトランシーバでないトランシーバの近くにあっても、信号を直接送信してくるトランシーバからの信号をより確実に受信することができる。
【発明の効果】
【００３３】
本発明によれば、受信電極を送信電極に離間させて設けたことで、送信回路から電極を介して受信回路に不要な信号が到来せず、よって、本来受信すべき信号の波形が歪むのを防止することができる。また、到来する信号を除去する回路を不要にできる
【発明を実施するための最良の形態】
【００３４】
以下、本発明の実施の形態を図面を参照して説明する。
【００３５】
［第１の実施の形態］
図１は、第１の実施の形態に係るトランシーバを利用した通信システムの構成図である。
【００３６】
本システムは、電界を伝達する媒体（電界伝達媒体）に電界を誘起させて信号を送受信するものであり、図１において、１はその電界伝達媒体であるテーブル、２、３は携帯端末、４、５、６、７はテーブル１に電界を誘起させて信号を送受信するトランシーバ、４０、５０、６０、７０はそれぞれトランシーバ４、５、６、７の本体、８はハブ、９はローカルエリアネットワークである。
【００３７】
トランシーバ４、５は、それぞれ携帯端末２、３のカードインタフェースポートなどに接続される。トランシーバ６、７は、通信ケーブルを介してハブ８に接続される。ハブ８は、ローカルエリアネットワーク９に接続される。
【００３８】
図１において、４１１および４１２は、それぞれトランシーバ４を構成する送信電極および受信電極であり、互いに離間させて、携帯端末２の一側面に設けられる。送信電極４１１および受信電極４１２は、リード線などで本体４０内の信号線に接続される。
【００３９】
図１において、５１１および５１２は、それぞれトランシーバ５を構成する送信電極および受信電極であり、互いに離間させて、携帯端末３の一側面に設けられる。送信電極５１１および受信電極５１２は、リード線などで本体５０内の信号線に接続される。
【００４０】
図１において、６１１および６１２は、トランシーバ６を構成する送信電極および受信電極であり、互いに離間させて、テーブル１の部分１ａの底面に設けられる。送信電極６１１および受信電極６１２は、リード線などで本体６０内の信号線に接続される。
【００４１】
図１において、７１１および７１２は、トランシーバ７を構成する送信電極および受信電極であり、互いに離間させて、テーブル１の部分１ｂの底面に設けられる。送信電極７１１および受信電極７１２は、リード線などで本体７０内の信号線に接続される。
【００４２】
図２は、トランシーバ４の一構成例を示すブロック図である。
【００４３】
図２において、４０１は増幅器である送信部、４０２は増幅器である受信部、４０３はデジタル回路、４０４はインタフェース回路であり、それぞれはトランシーバ４の本体４０内に設けられている。
【００４４】
送信電極４１１は、送信部４０１の出力端子にリード線などで接続されている。受信電極４１２は、受信部４０２の入力端子にリード線などで接続されている。インタフェース回路４０４は、コネクタなどで携帯端末２に接続されている。送信部４０１は、回路グラウンド４０Ｇを基準に信号を生成し、受信部４０２は、回路グラウンド４０Ｇを基準にして信号を受信する。
【００４５】
図３は、送信電極４１１と受信電極４１２の構成例を示す図である。
【００４６】
図３（ａ）に示すように、例えば、送信電極４１１と受信電極４１２は矩形型であり、同一の大きさを有し、対称に配置される。
【００４７】
図３（ｂ）に示すように、例えば、送信電極４１１と受信電極４１２は矩形型であるが、大きさが互いに異なり、これにより、非対称に配置される。
【００４８】
図３（ｃ）に示すように、例えば、送信電極４１１と受信電極４１２は櫛型であり、櫛同士を咬み合わせるように配置される。
【００４９】
図３（ｄ）に示すように、例えば、送信電極４１１と受信電極４１２は螺旋型であり、２重の螺旋を形成するように配置される。
【００５０】
図３（ｅ）に示すように、例えば、送信電極４１１と受信電極４１２は格子型であり、格子が交差するように配置される。送信電極４１１と受信電極４１２の間には絶縁シートＩＳなどが挟み込まれる。
【００５１】
なお、説明を簡略化するが、トランシーバ５は、トランシーバ４と同様の構成であり、そのインタフェース回路は、コネクタなどで携帯端末３に接続されている。
【００５２】
同様に説明を簡略化するが、トランシーバ６は、トランシーバ４等と同様の構成であり、そのインタフェース回路は、通信ケーブルでハブ８に接続されている。
【００５３】
同様に説明を簡略化するが、トランシーバ７は、トランシーバ４等と同様の構成であり、そのインタフェース回路は、通信ケーブルでハブ８に接続されている。
【００５４】
図４（ａ）は、トランシーバ４の別の構成例を示すブロック図である。
【００５５】
ここでは、図２との違いを説明する。受信部４０２は、信号を光により検出する光センサ４０２１と増幅器４０２２とを備えている。また、グラウンド電極４１４が、トランシーバ４の本体４０の外側に沿わされ、回路グラウンド４０Ｇから絶縁された第２の回路グラウンド４０Ｇ’にリード線などで接続されている。光センサ４０２１は、第２の回路グラウンド４０Ｇ’を基準にして光により信号を受信する。
【００５６】
図４（ｂ）は、光センサ４０２１の構成例を示すブロック図である。
【００５７】
図４（ｂ）において、４０２１１は光源、４０２１２は電気光学結晶、４０２１３および４０２１４は電気光学結晶４０２１２に設けられた電極、４０２１５は光電変換回路である。電極４０２１３は、リード線などで受信電極４１２に接続されている。電極４０２１４は、リード線などで、回路グラウンド４０Ｇから絶縁された第２の回路グラウンド４０Ｇ’に接続されている。光源４０２１１は、電気光学結晶４０２１２に光（レーザ光）を入射する。光電変換回路４０２１５は、電気光学結晶４０２１２から出射した光を電気信号に変換する。
【００５８】
なお、トランシーバ５、６、７も図４のように構成してよい。また、トランシーバ４〜７に、図２のものと図４のものが混在していてもよい。
【００５９】
（第１の実施の形態の動作）
次に、第１の実施の形態の動作の一例として、まず、携帯端末２から携帯端末３に情報Ａを送信する動作を説明する。情報Ａは、例えば、会話文などである。
【００６０】
図１において、テーブル１の部分１ａに置かれた携帯端末２はトランシーバ４に情報Ａを送信する。図２、図４等において、トランシーバ４では、インタフェース回路４０４が情報Ａを受信し、デジタル回路４０３に転送する。デジタル回路４０３は、情報Ａを情報Ａに応じたデジタル信号に変換し、送信部４０１に与える。送信部４０１は、情報Ａに応じたデジタル信号を回路グラウンド４０Ｇを基準に増幅し、増幅された信号をリード線などの信号線を介して送信電極４１１に印加する。
【００６１】
図１に戻り、送信電極４１１により、テーブル１の部分１ａに情報Ａに応じた電界が誘起される。
【００６２】
さて、テーブル１の部分１ａに誘起された電界により、情報Ａに応じた信号が受信電極６１２に印加される。これ以降、トランシーバ６を図２や図４の構成として説明する。
【００６３】
トランシーバ６では、図２の受信部４０２が、受信電極４１２（図１の受信電極６１２）からリード線などの信号線を介して到来した信号を回路グラウンド４０Ｇを基準にして増幅し、こうして情報Ａを得る。
【００６４】
なお、図４にあっては、光センサ４０２１が、回路グラウンド４０Ｇから絶縁された第２の回路グラウンド４０Ｇ’を基準にして光により信号を受信し、増幅器４０２２が信号を増幅し、こうして情報Ａを得る。
【００６５】
図４（ｂ）に示す光センサ４０２１では、信号が電極４０２１３に印加され、これにより、第２の回路グラウンド４０Ｇ’の電位と信号の電位との差に応じた電界が電気光学結晶４０２１２に与えられる。これにより、電気光学結晶４０２１２では、光源４０２１１から入射した光が電界により変調される。光電変換回路４０２１５は、電気光学結晶４０２１２から出射した変調光を電気信号に変換し、こうして情報Ａを得る。
【００６６】
トランシーバ６では、こうして、受信電極により信号を受信するが、受信電極は、送信電極に対して離間しているので、送信部から電極を介して受信部に不要な信号が到来せず、よって、本来受信すべき信号の波形が歪むのを防止することができる。また、到来する信号を除去する回路を不要にできる。
【００６７】
トランシーバ６では、デジタル回路４０３が、得られた情報Ａを適宜処理し、インタフェース回路４０４に与え、インタフェース回路４０４は情報Ａを通信ケーブルとハブ８を介して、トランシーバ７に送信する。
【００６８】
トランシーバ７は、トランシーバ４と同様にして、情報Ａに応じた信号を送信電極７１１に印加し、これにより、テーブル１の部分１ｂに情報Ａに応じた電界が誘起される。
【００６９】
また、携帯端末３がテーブル１の部分１ｂに置かれた状態でトランシーバ５は、トランシーバ６と同様にして、受信電極５１２に印加された信号により情報Ａを得て、これを携帯端末３に送信する。
【００７０】
トランシーバ５では、こうして、受信電極により信号を受信するが、同様に、受信電極は、送信電極に対して離間しているので、送信部から電極を介して受信部に不要な信号が到来せず、よって、本来受信すべき信号の波形が歪むのを防止することができる。また、到来する信号を除去する回路を不要にできる。
【００７１】
同様に、携帯端末３から携帯端末２に情報Ｂを送信することができ、その動作は、以下の通りである。
【００７２】
トランシーバ５は、携帯端末３から受信した情報Ｂに応じた信号を送信電極５１１に印加し、これにより、テーブル１の部分１ｂに情報Ｂに応じた電界が誘起される。
【００７３】
トランシーバ７は、受信電極７１２に印加された信号により情報Ｂを得て、これをハブ８を介してトランシーバ６に送信する。
【００７４】
トランシーバ６は、送信された情報Ｂに応じた信号を送信電極６１１に印加し、これにより、テーブル１の部分１ａに情報Ｂに応じた電界が誘起される。
【００７５】
トランシーバ４は、受信電極４１２に印加された信号により情報Ｂを得て、これを携帯端末２に送信する。
【００７６】
トランシーバ７、５では、こうして、受信電極により信号を受信するが、同様に、受信電極は、送信電極に対して離間しているので、送信部から電極を介して受信部に不要な信号が到来せず、よって、本来受信すべき信号の波形が歪むのを防止することができる。また、到来する信号を除去する回路を不要にできる。
【００７７】
以上のとおり、第１の実施の形態において、例えば、トランシーバ４は、テーブル１の部分１ａを介してトランシーバ６に送信すべき信号を生成する送信回路（送信部４０１）と、トランシーバ６からテーブル１の部分１ａを介して送信された信号を受信する受信回路（受信部４０２）と、送信回路の出力端子に接続された送信電極４１１と、送信電極４１１に離間させて配置され、受信回路の入力端子に接続された受信電極４１２とを備える。
【００７８】
トランシーバ４によれば、受信電極４１２を送信電極４１１に離間させて設けたことで、送信部４０１から電極を介して受信部４０２に不要な信号が到来せず、よって、本来受信すべき信号の波形が歪むのを防止することができる。また、到来する信号を除去する回路を不要にできる。
【００７９】
また、図３（ｃ）に示すように、送信電極４１１と受信電極４１２を櫛型とし、櫛同士を咬み合わせるように配置したことで、または、図３（ｄ）に示すように、送信電極４１１と受信電極４１２を螺旋型とし、２重の螺旋を形成するように配置したことで、また、図３（ｅ）に示すように、送信電極４１１と受信電極４１２を格子型とし、格子が交差するように配置したことで、送信電極４１１と受信電極４１２の位置をほぼ同じにでき、テーブル１の部分１ａのような同じ場所に置くような場合において都合がよい。
【００８０】
［第２の実施の形態］
図５は、第２の実施の形態に係るトランシーバを利用した通信システムの構成図である。
【００８１】
本システムと第１の実施の形態のシステムは共通の構成を有するので、かかる構成には同一符号を付与する。そして、ここでは差異を中心に説明し、重複説明を省略する。
【００８２】
本システムは、第１の実施の形態のように、例えば、テーブル１の部分１ａに置かれた携帯端末２に接続されたトランシーバ４が情報を送信し、それをテーブル１の部分１ｂに置かれた携帯端末３に接続されたトランシーバ５が、テーブル１、トランシーバ６、ハブ８、トランシーバ７などを介して、受信する場合、トランシーバ４により発生する電界や放射電磁界を極力弱め、もって、盗聴の防止を図るものである。また、本システムは、トランシーバ４等により発生する電界を極力弱め、もって、図示しないトランシーバが電界を検出してしまい、混信が生じるのを防止するものである。また、本システムは、例えばトランシーバ４が逆の経路で伝送される信号を受信する場合、信号の受信感度を高め、トランシーバ４が、信号を直接送信してくるトランシーバ６でないトランシーバ５の近くにあっても、信号を直接送信してくるトランシーバ６からの信号を確実に受信し、その結果、テーブル１の部分１ａ、１ｂが互いに近接していても、情報を確実に送受信できるようにするものである。
【００８３】
送信電極４１１は絶縁体４１１Ａを介してグラウンド電極４１１Ｂに沿わされ、携帯端末２の側面に対向するのは、グラウンド電極４１１Ｂとなっている。グラウンド電極４１１Ｂは、リード線などで本体４０内の回路グラウンドに接続される。
【００８４】
受信電極４１２は絶縁体４１２Ａを介してグラウンド電極４１２Ｂに沿わされ、携帯端末２の側面に対向するのは、グラウンド電極４１２Ｂとなっている。グラウンド電極４１２Ｂは、リード線などで本体４０内の回路グラウンドに接続される。
【００８５】
送信電極５１１は絶縁体５１１Ａを介してグラウンド電極５１１Ｂに沿わされ、携帯端末２の側面に対向するのは、グラウンド電極５１１Ｂとなっている。グラウンド電極５１１Ｂは、リード線などで本体５０内の回路グラウンドに接続される。
【００８６】
受信電極５１２は絶縁体５１２Ａを介してグラウンド電極５１２Ｂに沿わされ、携帯端末２の側面に対向するのは、グラウンド電極５１２Ｂとなっている。グラウンド電極５１２Ｂは、リード線などで本体５０内の回路グラウンドに接続される。
【００８７】
送信電極６１１は絶縁体６１１Ａを介してグラウンド電極６１１Ｂに沿わされ、テーブル１の部分１ａの底面に対向するのは、グラウンド電極６１１Ｂとなっている。グラウンド電極６１１Ｂは、リード線などで本体６０内の回路グラウンドに接続される。
【００８８】
受信電極６１２は絶縁体６１２Ａを介してグラウンド電極６１２Ｂに沿わされ、テーブル１の部分１ａの底面に対向するのは、グラウンド電極６１２Ｂとなっている。グラウンド電極６１２Ｂは、リード線などで本体６０内の回路グラウンドに接続される。
【００８９】
送信電極７１１は絶縁体７１１Ａを介してグラウンド電極７１１Ｂに沿わされ、テーブル１の部分１ａの底面に対向するのは、グラウンド電極７１１Ｂとなっている。グラウンド電極７１１Ｂは、リード線などで本体７０内の回路グラウンドに接続される。
【００９０】
受信電極７１２は絶縁体７１２Ａを介してグラウンド電極７１２Ｂに沿わされ、テーブル１の部分１ａの底面に対向するのは、グラウンド電極７１２Ｂとなっている。グラウンド電極７１２Ｂは、リード線などで本体７０内の回路グラウンドに接続される。
【００９１】
図６（ａ）に示すように、例えば、トランシーバ４の送信電極４１１、絶縁体４１１Ａおよびグラウンド電極４１１Ｂは、共に矩形平板状であり、形状のとおりに重なりあっている。例えば、トランシーバ４の受信電極４１２、絶縁体４１２Ａおよびグラウンド電極４１２Ｂも、共に矩形平板状であり、形状のとおりに重なりあっている。
【００９２】
図６（ｂ）に示すように、例えば、トランシーバ４の送信電極４１１、絶縁体４１１Ａおよびグラウンド電極４１１Ｂは、共に櫛型であり、形状のとおりに重なりあっている。例えば、トランシーバ４の受信電極４１２、絶縁体４１２Ａおよびグラウンド電極４１２Ｂも、共に櫛型であり、形状のとおりに重なりあっている。
【００９３】
また、他のトランシーバの送信電極、絶縁体およびグラウンド電極も、同一形状であり、形状のとおりに重なりあっている。
【００９４】
図７は、トランシーバ４の一構成例を示すブロック図である。
【００９５】
ここでは、図２との違いを説明する。
【００９６】
グラウンド電極４１１Ｂは、回路グラウンド４０Ｇの送信部４０１に近い部分のみに接続された回路パターンにリード線などで接続されている。グラウンド電極４１２Ｂは、回路グラウンド４０Ｇの受信部４０２に近い部分のみに接続された回路パターンにリード線などで接続されている。なお、説明を簡略化するが、トランシーバ５〜７についても、この差異に関し、同様に構成される。
【００９７】
図８は、トランシーバ４の別の構成例を示すブロック図である。
【００９８】
ここでは、図７との違いを説明する。受信部４０２は、信号を光により検出する光センサ４０２１と増幅器４０２２とを備えている。光センサ４０２１は、第２の回路グラウンド４０Ｇ’を基準にして光により信号を受信する。グラウンド電極４１２Ｂは、第２の回路グラウンド４０Ｇ’にリード線などで接続されている。
【００９９】
（第２の実施の形態の動作）
第１の実施の形態と同様に、第２の実施の形態では、携帯端末２から携帯端末３に情報Ａを送信することができ、その動作は、以下の通りである。
【０１００】
トランシーバ４は、携帯端末２から受信した情報Ａに応じた信号を送信電極４１１に印加し、これにより、テーブル１の部分１ａに情報Ａに応じた電界が誘起される。
【０１０１】
上記のように、絶縁体４１１Ａを介して送信電極４１１にグラウンド電極４１１Ｂを沿わせたので、このとき、テーブル１の部分１ａ以外に及ぶ電界や放射電磁界が弱くなり、よって、信号盗聴や混信の虞を低減することができる。また、後述するが、トランシーバ５は情報Ａに応じた信号をトランシーバ７から受信する。その際、この電界がノイズとなるが、ノイズは小さくなるので、信号の受信感度を高めることができ、トランシーバ５は、信号を直接送信してくるトランシーバ７でないトランシーバ４の近くにあっても、信号を直接送信してくるトランシーバ７からの信号を確実に受信することができる。
【０１０２】
トランシーバ６は、受信電極６１２に印加された信号により情報Ａを得て、これをハブ８を介してトランシーバ７に送信する。後述するが、トランシーバ７は、情報Ａに応じた信号を送信する。このとき発生する電界や放射電磁界が少ないながらもノイズとなるが、同様に、ノイズは小さくなるので、信号の受信感度を高めることができ、トランシーバ６は、信号を送信してくるトランシーバ４でないトランシーバ７の近くにあっても、信号を送信してくるトランシーバ４からの信号を確実に受信することができる。
【０１０３】
トランシーバ７は、送信された情報Ａに応じた信号を送信電極７１１に印加し、これにより、テーブル１の部分１ｂに情報Ａに応じた電界が誘起される。このとき、同様に、テーブル１の部分１ｂ以外に及ぶ電界や放射電磁界が弱くなり、よって、信号盗聴や混信の虞を低減することができる。
【０１０４】
トランシーバ５は、受信電極５１２に印加された信号により情報Ａを得て、これを携帯端末３に送信する。このとき、同様に、受信電極５１２により受信されるトランシーバ４からのノイズは小さくなるので、信号の受信感度を高めることができ、トランシーバ５は、信号を直接送信してくるトランシーバ７でないトランシーバ４の近くにあっても、信号を直接送信してくるトランシーバ７からの信号を確実に受信することができる。
【０１０５】
同様に、携帯端末３から携帯端末２に情報Ｂを送信することができ、その動作は、以下の通りである。
【０１０６】
トランシーバ５は、携帯端末３から受信した情報Ｂに応じた信号を送信電極５１１に印加し、これにより、テーブル１の部分１ｂに情報Ｂに応じた電界が誘起される。このとき、同様に、テーブル１の部分１ｂ以外に及ぶ電界や放射電磁界が弱くなり、よって、信号盗聴や混信の虞を低減することができる。また、後述するが、トランシーバ４は情報Ｂに応じた信号をトランシーバ６から受信する。その際、この電界や放射電磁界がノイズとなるが、ノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【０１０７】
トランシーバ７は、受信電極７１２に印加された信号により情報Ｂを得て、これをハブ８を介してトランシーバ６に送信する。後述するが、トランシーバ６は、情報Ｂに応じた信号を送信する。このとき発生する電界が少ないながらもノイズとなるが、同様に、ノイズは小さくなるので、信号の受信感度を高めることができ、トランシーバ７は、信号を送信してくるトランシーバ５でないトランシーバ６の近くにあっても、信号を送信してくるトランシーバ５からの信号を確実に受信することができる。
【０１０８】
トランシーバ６は、送信された情報Ｂに応じた信号を送信電極６１１に印加し、これにより、テーブル１の部分１ａに情報Ｂに応じた電界が誘起される。このとき、同様に、テーブル１の部分１ａ以外に及ぶ電界や放射電磁界が弱くなり、よって、信号盗聴や混信の虞を低減することができる。
【０１０９】
トランシーバ４は、受信電極４１２に印加された信号により情報Ｂを得て、これを携帯端末２に送信する。このとき、同様に、受信電極４１２により受信されるトランシーバ５からのノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【０１１０】
以上のとおり、第２の実施の形態において、例えば、トランシーバ４は、テーブル１の部分１ａを介してトランシーバ６に送信すべき信号を回路グラウンド４０Ｇを基準にして生成する送信回路（送信部４０１）と、トランシーバ６からテーブル１の部分１ａを介して送信された信号を回路グラウンド４０Ｇを基準にして受信する受信回路（受信部４０２）と、送信回路の出力端子に接続された送信電極４１１と、送信電極４１１に離間させて配置され、受信回路の入力端子に接続された受信電極４１２と、送信電極４１１に絶縁体４１１Ａを介して沿わされ、回路グラウンド４０Ｇに接続されたグラウンド電極４１１Ｂと、受信電極４１２に絶縁体４１２Ａを介して沿わされ、回路グラウンド４０Ｇに接続されたグラウンド電極４１２Ｂとを備える。
【０１１１】
トランシーバ４によれば、送信電極４１１に絶縁体４１１Ａを介してグラウンド電極４１１Ｂを沿わせたことで、テーブル１の部分１ａ以外に及ぶ電界や放射電磁界が弱くなり、よって、信号盗聴や混信の虞を低減することができる。また、受信電極４１２に絶縁体４１２Ａを介してグラウンド電極４１２Ｂを沿わせたことで、受信電極４１２により受信されるトランシーバ５からの電界のノイズは小さくなるので、信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【０１１２】
また、図４（ａ）に示すように、トランシーバ４の受信回路は、トランシーバ６から送信された信号を第２の回路グラウンド４０Ｇ’を基準にして光により検出する光センサ４０２１を備える。
【０１１３】
また、このトランシーバ４は、受信電極４１２に絶縁体４１２Ａを介して沿わされ、第２の回路グラウンド４０Ｇ’に接続されたグラウンド電極４１４を備える。
【０１１４】
かかる構成によれば、光センサ４０２１による信号の受信感度を高めることができ、トランシーバ４は、信号を直接送信してくるトランシーバ６でないトランシーバ５の近くにあっても、信号を直接送信してくるトランシーバ６からの信号を確実に受信することができる。
【０１１５】
また、図６に示すように、グラウンド電極４１１Ｂの形状は送信電極４１１の形状に等しく、グラウンド電極４１１Ｂは送信電極４１１の形状のとおりに沿わされていることで、テーブル１の部分１ａ以外に及ぶ電界や放射電磁界が一層弱くなり、よって、信号盗聴や混信の虞を一層低減することができる。
【０１１６】
また、グラウンド電極４１２Ｂの形状は受信電極４１２の形状に等しく、グラウンド電極４１２Ｂは受信電極４１２の形状のとおりに沿わされていることで、受信電極４１２により受信されるトランシーバ５からの電界のノイズはより小さくなるので、信号の受信感度をより高めることができ、トランシーバ４は、信号を直接送信してくるトランシーバ６でないトランシーバ５の近くにあっても、信号を直接送信してくるトランシーバ６からの信号をより確実に受信することができる。
【０１１７】
また、他のトランシーバにおいても同様の効果を得ることができる。
【０１１８】
その結果、第２の実施の形態によれば、テーブル１の部分１ａ、１ｂが互いに近接していても、情報を確実に送受信することができる。
【０１１９】
なお、第２の実施の形態では、例えば、信号盗聴や混信の虞が少ない場合には、絶縁体４１１Ａおよびグラウンド電極４１１Ｂを設けなくてもよい。
【０１２０】
また、例えば、テーブル１の部分１ａ、１ｂが互い比較的離れていてもよい場合には、絶縁体４１２Ａおよびグラウンド電極４１２Ｂを設けなくてもよい。
【０１２１】
以上は、本発明のトランシーバに係る一実施の形態であり、以下のような態様で実施してもよい。
【０１２２】
図１、図５のように、送信電極４１１および受信電極４１２などを携帯端末２などに設けるのでなく、トランシーバ４などに設けてもよい。
【０１２３】
また、携帯端末などの代わりに可搬型や据え置き型の装置（コンピュータ）を使用してもよい。また、トランシーバは、端末や装置内に組み込んでもよい。
【０１２４】
また、電界伝達媒体は、テーブルでなく、例えば、人体、壁、床などでもよい。
【図面の簡単な説明】
【０１２５】
【図１】第１の実施の形態に係るトランシーバを利用した通信システムの構成図である。
【図２】トランシーバ４の一構成例を示すブロック図である。
【図３】送信電極４１１と受信電極４１２の構成例を示す図である。
【図４】トランシーバ４の別の構成例を示すブロック図である。
【図５】第２の実施の形態に係るトランシーバを利用した通信システムの構成図である。
【図６】送信電極４１１、絶縁体４１１Ａおよびグラウンド電極４１１Ｂの構成例を示す図である。
【図７】トランシーバ４の一構成例を示すブロック図である。
【図８】トランシーバ４の別の構成例を示すブロック図である。
【図９】共通の電極を使用して電界を誘起させる通信の例を示す図である。
【図１０】トランシーバＴＲの一構成例を示すブロック図である。
【符号の説明】
【０１２６】
１…テーブル
２、３…携帯端末
４、５、６、７、ＴＲ１、ＴＲ２…トランシーバ
４０Ｇ…回路グラウンド
４０Ｇ’…第２の回路グラウンド
４０１…送信部
４０２…受信部
４０３…デジタル回路
４０４…インタフェース回路
４１１、５１１、６１１、７１１…送信電極
４１１Ａ、４１２Ａ、５１１Ａ、５１２Ａ、６１１Ａ、６１２Ａ、７１１Ａ、７１２Ａ…絶縁体
４１１Ｂ、４１２Ｂ、４１４、５１１Ｂ、５１２Ｂ、６１１Ｂ、６１２Ｂ、７１１Ｂ、７１２Ｂ…グラウンド電極
４１２、５１２、６１２、７１２…受信電極
４０２１…光センサ
４０２２…増幅器
４０２１１…光源
４０２１２…電気光学結晶
４０２１３、４０２１４…電極
４０２１５…光電変換回路
Ｃ…コンピュータ
Ｐ１、Ｐ２…電極
【図１】
2009290760.tif 000003
【図２】
2009290760.tif 000004
【図３】
2009290760.tif 000005
【図４】
2009290760.tif 000006
【図５】
2009290760.tif 000007
【図６】
2009290760.tif 000008
【図７】
2009290760.tif 000009
【図８】
2009290760.tif 000010
【図９】
2009290760.tif 000011
【図１０】
2009290760.tif 000012